(57)【要約】【課題】サーバに保存された映像コンテンツをネットワーク経由で端末装置に配信するシステムにおいて、ユーザの利便性を向上させる。【解決手段】宅内ネットワークとＷＡＮとの間に接続される映像サービスプロキシ装置であって、前記ＷＡＮ側のサーバから映像コンテンツ情報を取得するＷＡＮ側処理部と、前記サーバの代理として動作することにより、前記ＷＡＮ側処理部によって取得された前記映像コンテンツ情報を、前記宅内ネットワーク側の表示装置において再生可能となるように前記表示装置に与える代理処理を行う宅内ネットワーク側処理部とを備える。【選択図】図３
2019004437.tif 000002
【特許請求の範囲】
【請求項１】
宅内ネットワークとＷＡＮ（Ｗｉｄｅ  Ａｒｅａ  Ｎｅｔｗｏｒｋ）との間に接続される映像サービスプロキシ装置であって、
前記ＷＡＮ側のサーバから映像コンテンツ情報を取得するＷＡＮ側処理部と、
前記サーバの代理として動作することにより、前記ＷＡＮ側処理部によって取得された前記映像コンテンツ情報を、前記宅内ネットワーク側の表示装置において再生可能となるように前記表示装置に与える代理処理を行う宅内ネットワーク側処理部とを備える、映像サービスプロキシ装置。
【請求項２】
前記宅内ネットワーク側処理部は、前記ＷＡＮ側のサービスに対応するアカウント情報を入力するための画面を表示する処理を行い、入力された前記アカウント情報を保存する処理を行う、請求項１に記載の映像サービスプロキシ装置。
【請求項３】
前記宅内ネットワーク側処理部は、前記宅内ネットワーク側の端末装置が、前記代理処理を行うべき前記表示装置であるか否かを判断し、前記代理処理を行うべき前記表示装置でないと判断した場合、前記代理処理を行う代わりに、前記ＷＡＮおよび前記端末装置間で送受信されるパケットを中継する処理を行う、請求項１または請求項２に記載の映像サービスプロキシ装置。
【請求項４】
前記宅内ネットワーク側処理部は、前記表示装置からの要求を受けて、前記ＷＡＮ側のサービスを選択するための画面の情報を前記表示装置に与える、請求項１から請求項３のいずれか１項に記載の映像サービスプロキシ装置。
【請求項５】
前記宅内ネットワーク側処理部は、前記表示装置から所定のサービスの要求を受けた場合、前記代理処理を行う代わりに、前記ＷＡＮおよび前記表示装置間で送受信されるパケットを中継する処理を行う、請求項１から請求項４のいずれか１項に記載の映像サービスプロキシ装置。
【請求項６】
前記宅内ネットワーク側処理部は、前記代理処理において、前記表示装置が前記映像コンテンツ情報の再生処理を行う際に用いる制御メタ情報を作成し、前記表示装置に与える、請求項１から請求項５のいずれか１項に記載の映像サービスプロキシ装置。
【請求項７】
前記宅内ネットワークにおいて複数の端末装置が接続され、
前記宅内ネットワーク側処理部は、前記宅内ネットワークまたは前記ＷＡＮから取得した情報に基づく内容を前記端末装置に表示する処理を行い、前記端末装置ごとに、表示内容または表示の有無を変更可能である、請求項１から請求項６のいずれか１項に記載の映像サービスプロキシ装置。
【請求項８】
前記宅内ネットワーク側処理部は、前記端末装置ごとに前記映像コンテンツ情報の視聴に関する制限内容を変更可能である、請求項７に記載の映像サービスプロキシ装置。
【請求項９】
前記宅内ネットワーク側処理部は、前記端末装置から録画要求を受けた前記映像コンテンツ情報に前記端末装置に関する端末情報を付加して記憶装置に保存する、請求項８に記載の映像サービスプロキシ装置。
【請求項１０】
前記宅内ネットワーク側処理部は、前記端末装置からの録画リスト要求を受けて、前記端末装置に与える録画リストの内容を、前記端末情報に基づいて制限する、請求項９に記載の映像サービスプロキシ装置。
【請求項１１】
ＷＡＮ側から宅内ネットワーク側へ映像サービスを提供する映像サービスシステムにおける映像サービスプロキシ方法であって、
前記宅内ネットワーク側の表示装置を特定するステップと、
特定した前記表示装置に提供する前記ＷＡＮ側のサービスを特定するステップと、
特定した前記サービスにおける映像コンテンツ情報を前記ＷＡＮ側のサーバから取得し、前記サーバの代理として動作することにより、取得した前記映像コンテンツ情報を前記表示装置に与える処理を行うステップとを含む、映像サービスプロキシ方法。
【請求項１２】
前記映像サービスプロキシ方法は、さらに、
前記ＷＡＮ側のサービスに対応するアカウント情報を入力するための画面を表示するステップと、
入力された前記アカウント情報を保存するステップとを含む、請求項１１に記載の映像サービスプロキシ方法。
【発明の詳細な説明】
【技術分野】
【０００１】
本発明は、映像サービスプロキシ装置および映像サービスプロキシ方法に関する。
【背景技術】
【０００２】
近年、サーバに保存された映像コンテンツをネットワーク経由で端末に配信するシステムが開発されている。
【０００３】
たとえば、特許文献１（特開２０１２−１３４８０１号公報）には、以下のような技術が開示されている。すなわち、映像送信装置から送信された映像データを受信して、受信した映像データを、映像再生装置によって再生可能な映像データに変換して当該映像再生装置に向けて送信するための、映像中継装置であって、前記映像再生装置によって再生可能な映像データの形式である再生可能形式を特定する特定部と、前記映像送信装置から送信された映像データを受信する受信部と、前記受信部が受信した映像データを、前記再生可能形式の映像データに変換する変換部と、前記受信部が受信した映像データ、又は前記変換部による変換後の映像データを、前記映像再生装置に向けて送信する送信部と、を備え、前記特定部は、前記映像再生装置から前記映像送信装置への映像要求に応答して前記映像送信装置から送られてきた映像データである受信映像データの形式を検出し、当該受信映像データの形式を、当該映像再生装置に関する前記再生可能形式として特定して記憶する。
【０００４】
また、特許文献２（特開２００３−３０４５２４号公報）には、以下のような技術が開示されている。すなわち、フレームデータの集合である映像データを保持する映像データサーバと、前記映像サーバから複数の映像データを取得し、当該取得した複数の映像データを時間的に連続する形でユーザ端末に送信する映像プロキシサーバとからなる映像データ配信システムであって、前記映像サーバは、映像データを前記プロキシサーバに送信する際、当該映像データの先頭フレームに関するタイミング調整用の情報である連続配信用情報を提供する連続配信用情報提供手段を有し、前記映像プロキシサーバは前記映像データサーバから複数の映像データを受信する映像データ受信手段と、前記映像データ受信手段が受信する映像データに関して、連続配信用情報提供手段が提供する連続配信用情報を取得する連続配信用情報取得手段と、前記映像データ受信手段が受信した複数の映像データを連続的に前記ユーザ端末に配信する連続配信手段とを有し、前記連続配信手段は、連続配信する複数の映像データのうち２番目以降の映像データについて、先頭のフレームデータの配信開始タイミングを当該映像データに関する連続配信用情報の内容に応じて調整する。
【先行技術文献】
【特許文献】
【０００５】
【特許文献１】特開２０１２−１３４８０１号公報
【特許文献２】特開２００３−３０４５２４号公報
【発明の概要】
【発明が解決しようとする課題】
【０００６】
上記のようなコンテンツの配信サービスは各種提供されており、これらのサービスは、フォーマット、エンコード方式およびＤＲＭ（Ｄｉｇｉｔａｌ  Ｒｉｇｈｔｓ  Ｍａｎａｇｅｍｅｎｔ）方式等において多種多様に異なっている。
【０００７】
たとえば映像装置として最も普及しているテレビ受信機によって各種サービスのコンテンツを視聴するためには、外付け装置としてセットトップボックスを設置する必要がある。そして、複数の部屋に設置されたテレビ受信機によって各種サービスのコンテンツを視聴するためには、セットトップボックスを複数設置する必要があり、各部屋で同時に視聴を行わないような状況でも複数の契約が必要になることがある。
【０００８】
また、インターネット接続機能を有するテレビ受信機であっても、当該機能を介してテレビ受信機で利用できるサービスには限りがある場合が多い。
【０００９】
この発明は、上述の課題を解決するためになされたもので、その目的は、サーバに保存された映像コンテンツをネットワーク経由で端末装置に配信するシステムにおいて、ユーザの利便性を向上させることが可能な映像サービスプロキシ装置および映像サービスプロキシ方法を提供することである。
【課題を解決するための手段】
【００１０】
（１）上記課題を解決するために、この発明のある局面に係わる映像サービスプロキシ装置は、宅内ネットワークとＷＡＮとの間に接続される映像サービスプロキシ装置であって、前記ＷＡＮ側のサーバから映像コンテンツ情報を取得するＷＡＮ側処理部と、前記サーバの代理として動作することにより、前記ＷＡＮ側処理部によって取得された前記映像コンテンツ情報を、前記宅内ネットワーク側の表示装置において再生可能となるように前記表示装置に与える代理処理を行う宅内ネットワーク側処理部とを備える。
【００１１】
（１１）上記課題を解決するために、この発明のある局面に係わる映像サービスプロキシ方法は、ＷＡＮ側から宅内ネットワーク側へ映像サービスを提供する映像サービスシステムにおける映像サービスプロキシ方法であって、前記宅内ネットワーク側の表示装置を特定するステップと、特定した前記表示装置に提供する前記ＷＡＮ側のサービスを特定するステップと、特定した前記サービスにおける映像コンテンツ情報を前記ＷＡＮ側のサーバから取得し、前記サーバの代理として動作することにより、取得した前記映像コンテンツ情報を前記表示装置に与える処理を行うステップとを含む。
【００１２】
本発明は、このような特徴的な処理部を備える映像サービスプロキシ装置として実現できるだけでなく、かかる特徴的のステップをコンピュータに実行させるためのプログラムとして実現することができる。また、本発明は、映像サービスプロキシ装置の一部または全部を実現する半導体集積回路として実現したり、映像サービスプロキシ装置を含むシステムとして実現したりすることができる。
【発明の効果】
【００１３】
本発明によれば、サーバに保存された映像コンテンツをネットワーク経由で端末装置に配信するシステムにおいて、ユーザの利便性を向上させることができる。
【図面の簡単な説明】
【００１４】
【図１】図１は、本発明の実施の形態に係る映像コンテンツ配信システムの構成を示す図である。
【図２】図２は、本発明の実施の形態に係る映像コンテンツ配信システムにおいて提供される各種サービスの一例を示す図である。
【図３】図３は、本発明の実施の形態に係る映像サービスプロキシ装置の構成を示す図である。
【図４】図４は、本発明の実施の形態に係る映像コンテンツ配信システムによる映像コンテンツ配信のシーケンスの一例を示す図である。
【図５】図５は、本発明の実施の形態に係る映像コンテンツ配信システムにおけるサービス選択画面の一例を示す図である。
【図６】図６は、本発明の実施の形態に係る映像コンテンツ配信システムにおける情報設定の一例を示す図である。
【図７】図７は、本発明の実施の形態に係る映像コンテンツ配信システムの変形例１による録画コンテンツ共有の一例を示す図である。
【図８】図８は、本発明の実施の形態に係る映像コンテンツ配信システムの変形例２による呼び出し処理の一例を示す図である。
【図９】図９は、本発明の実施の形態に係る映像コンテンツ配信システムの変形例２における転送情報テーブルの一例を示す図である。
【図１０】図１０は、本発明の実施の形態に係る映像コンテンツ配信システムの変形例３によるセキュリティ処理の一例を示す図である。
【図１１】図１１は、本発明の実施の形態に係る映像コンテンツ配信システムの変形例３におけるセンサ情報テーブルの一例を示す図である。
【図１２】図１２は、本発明の実施の形態に係る映像コンテンツ配信システムの変形例４による広告サービスの提供の一例を示す図である。
【発明を実施するための形態】
【００１５】
最初に、本発明の実施形態の内容を列記して説明する。
【００１６】
（１）本発明の実施の形態に係る映像サービスプロキシ装置は、宅内ネットワークとＷＡＮとの間に接続される映像サービスプロキシ装置であって、前記ＷＡＮ側のサーバから映像コンテンツ情報を取得するＷＡＮ側処理部と、前記サーバの代理として動作することにより、前記ＷＡＮ側処理部によって取得された前記映像コンテンツ情報を、前記宅内ネットワーク側の表示装置において再生可能となるように前記表示装置に与える代理処理を行う宅内ネットワーク側処理部とを備える。
【００１７】
このように、表示装置に対して当該表示装置が単独ではサービスの提供を受けることができないサーバの代理として動作し、かつ実際の映像サービスを提供する当該サーバにアクセスして映像コンテンツを取得する構成により、表示装置において利用できるサービスを超えた各種サービスを表示装置に提供することができる。また、１つの映像サービスプロキシ装置を用いた宅内ネットワーク経由の配信により、たとえば複数の部屋にそれぞれ設置された複数の表示装置において各種サービスのコンテンツを視聴することができる。したがって、サーバに保存された映像コンテンツをネットワーク経由で端末装置に配信するシステムにおいて、ユーザの利便性を向上させることができる。
【００１８】
（２）好ましくは、前記宅内ネットワーク側処理部は、前記ＷＡＮ側のサービスに対応するアカウント情報を入力するための画面を表示する処理を行い、入力された前記アカウント情報を保存する処理を行う。
【００１９】
このような構成により、簡易な操作で、映像サービスプロキシ装置において各種サービスのアカウント情報を管理することができるため、ユーザの利便性をより向上させることができる。
【００２０】
（３）好ましくは、前記宅内ネットワーク側処理部は、前記宅内ネットワーク側の端末装置が、前記代理処理を行うべき前記表示装置であるか否かを判断し、前記代理処理を行うべき前記表示装置でないと判断した場合、前記代理処理を行う代わりに、前記ＷＡＮおよび前記端末装置間で送受信されるパケットを中継する処理を行う。
【００２１】
このような構成により、代理処理が必要なテレビ受信機等の端末装置と代理処理が不要なＰＣ等の端末装置とが共存する宅内ネットワークにおいて、適切な装置に代理処理を選択的に実行し、良好なサービス環境を実現することができる。
【００２２】
（４）好ましくは、前記宅内ネットワーク側処理部は、前記表示装置からの要求を受けて、前記ＷＡＮ側のサービスを選択するための画面の情報を前記表示装置に与える。
【００２３】
このような構成により、ユーザにおいて各種サービスの確認および選択が容易となり、ユーザの利便性をより向上させることができる。
【００２４】
（５）好ましくは、前記宅内ネットワーク側処理部は、前記表示装置から所定のサービスの要求を受けた場合、前記代理処理を行う代わりに、前記ＷＡＮおよび前記表示装置間で送受信されるパケットを中継する処理を行う。
【００２５】
このような構成により、代理処理が必要なテレビ受信機等の端末装置において、単独で利用可能なサービスにおける映像コンテンツを視聴する場合において、当該サービスに通常の中継処理を適用し、良好なサービス環境を実現することができる。
【００２６】
（６）好ましくは、前記宅内ネットワーク側処理部は、前記代理処理において、前記表示装置が前記映像コンテンツ情報の再生処理を行う際に用いる制御メタ情報を作成し、前記表示装置に与える。
【００２７】
このような構成により、表示装置において選択されたサービスに応じた制御メタ情報を作成し、表示装置において各種サービスにおける映像コンテンツの再生処理を容易に実現可能とすることができる。
【００２８】
（７）好ましくは、前記宅内ネットワークにおいて複数の端末装置が接続され、前記宅内ネットワーク側処理部は、前記宅内ネットワークまたは前記ＷＡＮから取得した情報に基づく内容を前記端末装置に表示する処理を行い、前記端末装置ごとに、表示内容または表示の有無を変更可能である。
【００２９】
このような構成により、宅内ネットワーク側に複数の端末装置が設置されている環境において、端末装置の使用者および使用環境等に応じた内容の情報を提供することができる。
【００３０】
（８）より好ましくは、前記宅内ネットワーク側処理部は、前記端末装置ごとに前記映像コンテンツ情報の視聴に関する制限内容を変更可能である。
【００３１】
このような構成により、宅内ネットワーク側に複数の端末装置が設置されている環境において、端末装置の使用者および使用環境等に応じたコンテンツ制限を実行することができる。
【００３２】
（９）好ましくは、前記宅内ネットワーク側処理部は、前記端末装置から録画要求を受けた前記映像コンテンツ情報に前記端末装置に関する端末情報を付加して記憶装置に保存する。
【００３３】
このような構成により、宅内ネットワーク側に複数の端末装置が設置されている環境において、端末装置の使用者および使用環境等の情報とともに映像コンテンツ情報を記録し、端末装置の別に応じたコンテンツ制限を容易に実行することができる。
【００３４】
（１０）より好ましくは、前記宅内ネットワーク側処理部は、前記端末装置からの録画リスト要求を受けて、前記端末装置に与える録画リストの内容を、前記端末情報に基づいて制限する。
【００３５】
このような構成により、宅内ネットワーク側に複数の端末装置が設置されている環境において、録画リストにリストアップされる録画コンテンツを、端末装置の使用者および使用環境等に応じて制限することができる。
【００３６】
（１１）本発明の実施の形態に係る映像サービスプロキシ方法は、ＷＡＮ側から宅内ネットワーク側へ映像サービスを提供する映像サービスシステムにおける映像サービスプロキシ方法であって、前記宅内ネットワーク側の表示装置を特定するステップと、特定した前記表示装置に提供する前記ＷＡＮ側のサービスを特定するステップと、特定した前記サービスにおける映像コンテンツ情報を前記ＷＡＮ側のサーバから取得し、前記サーバの代理として動作することにより、取得した前記映像コンテンツ情報を前記表示装置に与える処理を行うステップとを含む。
【００３７】
このように、表示装置に対して当該表示装置が単独ではサービスの提供を受けることができないサーバの代理として動作し、かつ実際の映像サービスを提供する当該サーバにアクセスして映像コンテンツを取得する方法により、表示装置において利用できるサービスを超えた各種サービスを表示装置に提供することができる。また、１つの映像サービスプロキシ装置を用いた宅内ネットワーク経由の配信により、たとえば複数の部屋にそれぞれ設置された複数の表示装置において各種サービスのコンテンツを視聴することができる。したがって、サーバに保存された映像コンテンツをネットワーク経由で端末装置に配信するシステムにおいて、ユーザの利便性を向上させることができる。
【００３８】
（１２）好ましくは、前記映像サービスプロキシ方法は、さらに、前記ＷＡＮ側のサービスに対応するアカウント情報を入力するための画面を表示するステップと、入力された前記アカウント情報を保存するステップとを含む。
【００３９】
このような方法により、簡易な操作で、各種サービスのアカウント情報を管理することができるため、ユーザの利便性をより向上させることができる。
【００４０】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４１】
［構成および動作］
図１は、本発明の実施の形態に係る映像コンテンツ配信システムの構成を示す図である。
【００４２】
図１を参照して、映像コンテンツ配信システム３０１は、映像サービスプロキシ装置１０１と、記憶装置１５１と、複数の端末装置２０２と、複数のサーバ２５１とを備える。なお、映像コンテンツ配信システム３０１は、１つの端末装置２０２を備える構成であってもよい。また、映像サービスプロキシ装置１０１は、記憶装置１５１を含む構成であってもよい。
【００４３】
映像コンテンツ配信システム３０１は、ＷＡＮ（Ｗｉｄｅ  Ａｒｅａ  Ｎｅｔｗｏｒｋ）４０２側から宅内ネットワーク４０１側へ映像サービスを提供する。
【００４４】
サーバ２５１は、ＷＡＮ４０２を介して映像サービスプロキシ装置１０１と通信可能であり、ＷＡＮ４０２経由で映像コンテンツを配信する。
【００４５】
映像サービスプロキシ装置１０１は、宅内ネットワーク４０１側とＷＡＮ４０２側のサーバとの間の情報をやり取りするためのゲートウェイ装置であり、ＷＡＮ４０２側のプロトコルおよび宅内ネットワーク４０１側のプロトコルを相互に変換する機能を有する。このゲートウェイ装置としては、通信用のゲートウェイ装置、およびＨＥＭＳ（Ｈｏｍｅ  Ｅｎｅｒｇｙ  Ｍａｎａｇｅｍｅｎｔ  Ｓｙｓｔｅｍ）等のゲートウェイ装置など各種あげられるが、主として映像サービスに関するゲートウェイ装置である。
【００４６】
映像コンテンツ配信システム３０１における少なくともいずれか１つの端末装置２０２は、ＷＡＮ４０２、映像サービスプロキシ装置１０１および宅内ネットワーク４０１を介してサーバ２５１から映像コンテンツを受信し、受信した映像コンテンツの再生等を行うことが可能な表示装置（以下、表示装置２０２とも称する。）である。
【００４７】
図２は、本発明の実施の形態に係る映像コンテンツ配信システムにおいて提供される各種サービスの一例を示す図である。
【００４８】
図２を参照して、サーバ２５１の提供可能な映像サービスは、たとえば、ＩＰＴＶ（Ｉｎｔｅｒｎｅｔ  Ｐｒｏｔｏｃｏｌ  Ｔｅｌｅｖｉｓｉｏｎ）関連サービスとして、ぷらら光ＴＶ（登録商標）、アマゾンｖｉｄｅｏ、民間テレビポータルＴｖｅｒ、各放送局のＶＯＤ（Ｖｉｄｅｏ  Ｏｎ  Ｄｅｍａｎｄ）、ｙｏｕｔｕｂｅ（登録商標）、およびアクトビラ（登録商標）である。なお、サーバ２５１の提供可能な映像サービスは、ＩＰＴＶ関連サービスに限らず、たとえば、ＢＳ（Ｂｒｏａｄｃａｓｔ  Ｓａｔｅｌｉｔｅ）放送、ＣＳ（Ｃｏｍｍｕｎｉｃａｔｉｏｎ  Ｓａｔｅｌｌｉｔｅ）放送および地上デジタル放送、ならびにケーブルネットワーク放送であってもよい。
【００４９】
端末装置２０２は、たとえば、タブレット、スマートホンまたはＰＣ（Ｐｅｒｓｏｎａｌ  Ｃｏｍｐｕｔｅｒ）である。また、端末装置２０２は、インターホンまたは監視カメラであってもよいし、電話機能を有する装置であってもよい。この場合、端末装置２０２は、画像および着信情報等を宅内ネットワーク４０１経由で映像サービスプロキシ装置１０１へ送信する。
【００５０】
表示装置２０２は、たとえば、各種放送による映像コンテンツを受信し、受信した映像コンテンツの再生等を行うことが可能である。表示装置２０２は、たとえばＩＰＴＶ関連サービスの一例であるアクトビラに対応するテレビジョン装置である。
【００５１】
図３は、本発明の実施の形態に係る映像サービスプロキシ装置の構成を示す図である。
【００５２】
図３を参照して、映像サービスプロキシ装置１０１は、ＷＡＮ側処理部１と、宅内ネットワーク側処理部２と、記憶部３とを備える。なお、ＷＡＮ側処理部１および宅内ネットワーク側処理部２は、異なるプロセッサ等のデバイスによって実現されてもよいし、共通のプロセッサ等のデバイスによって実現されてもよい。
【００５３】
ＷＡＮ側処理部１は、ＷＡＮ４０２を介して他の装置と各種情報を送受信する。ＷＡＮ側処理部１は、記憶部３および記憶装置１５１に対して各種情報の保存および読み出しを行う。
【００５４】
宅内ネットワーク側処理部２は、宅内ネットワーク４０１を介して他の装置と各種情報を送受信する。宅内ネットワーク側処理部２は、記憶部３および記憶装置１５１に対して各種情報の保存および読み出しを行う。
【００５５】
ＷＡＮ側処理部１は、ＷＡＮ４０２側のサーバ２５１から映像コンテンツ情報を取得する。
【００５６】
宅内ネットワーク側処理部２は、サーバ２５１の代理として動作することにより、ＷＡＮ側処理部１によって取得された映像コンテンツ情報を、宅内ネットワーク４０１側の表示装置２０２において再生可能となるように当該表示装置２０２に与える代理処理を行う。
【００５７】
たとえば、代理処理は、サーバ２５１のプロトコルおよび表示装置２０２のプロトコル間の変換処理、ならびにサーバ２５１において処理可能な映像コンテンツ情報に関するフォーマットおよび表示装置２０２において処理可能な映像コンテンツ情報に関するフォーマット間の変換処理の少なくともいずれか一方を含む。
【００５８】
また、たとえば、宅内ネットワーク側処理部２は、宅内ネットワーク４０１側の端末装置２０２が、代理処理を行うべき表示装置２０２であるか否かを判断する端末判断処理を行う。そして、宅内ネットワーク側処理部２は、代理処理を行うべき表示装置２０２でないと判断した場合、代理処理を行う代わりに、ＷＡＮ４０２および当該端末装置２０２間で送受信されるパケットを中継する処理を行う。
【００５９】
［動作の流れ］
映像コンテンツ配信システム３０１における各装置は、コンピュータを備え、当該コンピュータにおけるＣＰＵ等の演算処理部は、以下のシーケンス図の各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００６０】
図４は、本発明の実施の形態に係る映像コンテンツ配信システムによる映像コンテンツ配信のシーケンスの一例を示す図である。図４は、端末装置２０２である表示装置２０２がアクトビラに対応するテレビジョン装置である場合の動作の流れを示している。
【００６１】
図４を参照して、まず、表示装置２０２は、ユーザの操作に従い、所定のサーバたとえばアクトビラのポータルサーバに初期画面を要求するための初期画面要求を映像サービスプロキシ装置１０１へ送信する（ステップＳ１）。
【００６２】
次に、映像サービスプロキシ装置１０１における宅内ネットワーク側処理部２は、端末判断処理を行う。より詳細には、宅内ネットワーク側処理部２は、上記初期画面要求を受信したことから、上記初期画面要求の送信元の装置がタブレット、スマートホンまたはＰＣ等ではなくテレビジョン装置であることを認識し、テレビジョン装置がサポートしているサービス、ここではアクトビラのサービス以外については、表示装置２０２に対して代理処理を行うべきであると判断する。これにより、映像サービスプロキシ装置１０１において、宅内ネットワーク４０１側の表示装置２０２が特定される。
【００６３】
一方、宅内ネットワーク側処理部２は、表示装置２０２がサポートするサービスのサーバ、テレビジョン装置の場合はアクトビラのポータルサーバ以外への初期画面要求を受信した場合、当該要求の送信元である端末装置２０２がテレビジョン装置ではなく、タブレット、スマートホンまたはＰＣ等であると判断し、当該端末装置２０２に対して代理処理を行うべきでないと判断する。そして、宅内ネットワーク側処理部２は、代理処理を行う代わりに、ＷＡＮ４０２および当該端末装置２０２間で送受信されるパケットを中継する処理を行う（ステップＳ２）。
【００６４】
次に、宅内ネットワーク側処理部２は、表示装置２０２からの要求を受けて、表示装置２０２がサポートするサーバの選択画面の代わりに、映像サービスプロキシ装置１０１がサポートするＷＡＮ４０２側のサービスを選択するための画面の情報を当該表示装置２０２に与える。
【００６５】
より詳細には、宅内ネットワーク側処理部２は、代理処理を行うべきであると判断した場合、ＨＴＭＬ（ＨｙｐｅｒＴｅｘｔ  Ｍａｒｋｕｐ  Ｌａｎｇｕａｇｅ）文書等のサービス選択画面の情報を表示装置２０２へ送信する。サービス選択画面の情報は、たとえば記憶部３に保存されている（ステップＳ３）。
【００６６】
図５は、本発明の実施の形態に係る映像コンテンツ配信システムにおけるサービス選択画面の一例を示す図である。
【００６７】
図５を参照して、サービス選択画面９１には、提供可能な映像サービスとして、ぷらら光ＴＶ、アマゾンｖｉｄｅｏ、民間テレビポータルＴｖｅｒ、各放送局のＶＯＤ、ｙｏｕｔｕｂｅ、およびアクトビラが表示されている。図５では、ぷらら光ＴＶが選択中である画面が示されている。
【００６８】
再び図４を参照して、次に、表示装置２０２は、宅内ネットワーク側処理部２から受信したサービス選択画面９１を表示し、当該画面におけるユーザの操作に従い、当該ユーザの選択した映像サービスを映像サービスプロキシ装置１０１に通知する。これにより、映像サービスプロキシ装置１０１において、特定した表示装置２０２に提供するＷＡＮ４０２側のサービスが特定される（ステップＳ４）。
【００６９】
次に、映像サービスプロキシ装置１０１は、特定したサービスにおける映像コンテンツ情報をＷＡＮ４０２側のサーバ２５１から取得し、当該サーバ２５１の代理として動作することにより、取得した映像コンテンツ情報を表示装置２０２に与える処理を行う。
【００７０】
より詳細には、宅内ネットワーク側処理部２は、表示装置２０２から所定のサービスたとえばアクトビラの要求を受けた場合、代理処理を行う代わりに、ＷＡＮ４０２および当該表示装置２０２間で送受信されるパケットを中継する処理を行う。
【００７１】
一方、ＷＡＮ側処理部１は、アクトビラ以外のＷＡＮ４０２側の映像サービスが表示装置２０２から通知された場合、当該サービスについて設定されたアカウント情報を用いて、当該サービスに対応するプロトコルに従ってサーバ２５１から映像コンテンツ情報を取得する。
【００７２】
より詳細には、ＷＡＮ側処理部１は、コンテンツ選択画面要求を、表示装置２０２から通知された映像サービスを提供するサーバ２５１へ送信する。コンテンツ選択画面要求には、たとえば当該映像サービスのアカウント情報が含まれる（ステップＳ５）。
【００７３】
次に、サーバ２５１は、ＷＡＮ側処理部１からコンテンツ選択画面要求を受信して、ＨＴＭＬ文書等のコンテンツ選択画面の情報を映像サービスプロキシ装置１０１へ送信する（ステップＳ６）。
【００７４】
次に、宅内ネットワーク側処理部２は、サーバ２５１から受信したコンテンツ選択画面の情報を表示装置２０２へ送信する（ステップＳ８）。
【００７５】
ここで、宅内ネットワーク側処理部２は、サーバ２５１から受信した、ＷＡＮ４０２側のサービスにおける映像コンテンツを選択するための画面の情報を、表示装置２０２において表示可能となるように変換して当該表示装置２０２に与えてもよい（ステップＳ７）。
【００７６】
これにより、コンテンツ選択画面が、たとえば表示装置２０２に搭載されたブラウザではサポートしていない機能に対応するＨＴＭＬ文書であっても、表示装置２０２においてコンテンツ選択画面を表示可能とすることができる。
【００７７】
次に、表示装置２０２は、宅内ネットワーク側処理部２から受信したコンテンツ選択画面を表示し、当該画面におけるユーザの操作に従い、当該ユーザの選択した映像コンテンツを映像サービスプロキシ装置１０１に通知する（ステップＳ９）。
【００７８】
なお、ＷＡＮ側処理部１は、コンテンツ選択画面の前に映像サービスの初期画面をサーバ２５１に要求し、サーバ２５１から取得して表示装置２０２に表示させてもよい。
【００７９】
次に、ＷＡＮ側処理部１は、表示装置２０２において選択された映像コンテンツをサーバ２５１に通知する（ステップＳ１０）。
【００８０】
次に、ＷＡＮ側処理部１は、表示装置２０２から通知された映像サービスを提供するサーバ２５１との間で、表示装置２０２から通知された映像コンテンツを提供するサーバ２５１の情報、およびＤＲＭ等の暗号化の情報等、映像サービス固有の情報をやり取りする（ステップＳ１１）。
【００８１】
次に、宅内ネットワーク側処理部２は、表示装置２０２が映像コンテンツ情報の再生処理を行う際に用いる制御メタ情報である制御メタファイルを作成し、当該表示装置２０２に与える。
【００８２】
より詳細には、たとえば、表示装置２０２がアクトビラのサービスをサポートするテレビジョン装置である場合、制御メタファイルは、ＥＲＩ（Ｅｎｔｒｙ  Ｒｅｓｏｕｒｃｅ  Ｉｎｆｏｒｍａｔｉｏｎ）、ＬＬＩ（Ｌｉｃｅｎｓｅ  Ｌｉｎｋ  Ｉｎｆｏｒｍａｔｉｏｎ）およびＮＣＩ（Ｎｅｔｗｏｒｋ  ｃｏｎｔｅｎｔ  Ｃｏｎｔｒｏｌ  Ｉｎｆｏｒｍａｔｉｏｎ）を含む。ＥＲＩは、コンテンツの参照先およびコンテンツ固有の属性情報である。ＬＬＩは、コンテンツのライセンスおよび権利保護に関連する情報である。ＮＣＩは、ストリーミング受信に関わる制御情報である。
【００８３】
なお、制御メタファイルの内容は、固定情報として映像サービスプロキシ装置１０１において保存済みであってもよいし、ＷＡＮ側処理部１によるサーバ２５１との映像サービス固有の情報のやり取り（ステップＳ１１）において一部または全部が取得されてもよい。
【００８４】
次に、宅内ネットワーク側処理部２は、たとえばアクトビラの仕様および契約条件等に従った内容のＤＲＭライセンス情報を表示装置２０２との間でやり取りする（ステップＳ１４）。
【００８５】
次に、表示装置２０２は、ユーザの選択した映像コンテンツの再生要求を映像サービスプロキシ装置１０１へ送信する（ステップＳ１５）。
【００８６】
次に、ＷＡＮ側処理部１は、サーバ２５１から配信された映像コンテンツ情報を復号化して蓄積する。
【００８７】
より詳細には、ＷＡＮ側処理部１は、表示装置２０２から受信したコンテンツ再生要求を対応のサーバ２５１へ送信する（ステップＳ１６）。
【００８８】
次に、サーバ２５１は、ＷＡＮ側処理部１からコンテンツ再生要求を受信して、コンテンツ再生要求の示す映像コンテンツの配信を開始する。ここで、映像コンテンツは、たとえば、映像コンテンツ情報を複数のパケットに分割したストリームにより配信される（ステップＳ１７）。
【００８９】
次に、ＷＡＮ側処理部１は、サーバ２５１とやり取りしたＤＲＭ等の映像サービス固有の情報を用いて、サーバ２５１から受信した映像コンテンツを復号化し、記憶部３に保存する（ステップＳ１８）。
【００９０】
次に、宅内ネットワーク側処理部２は、蓄積された映像コンテンツ情報が、たとえばアクトビラをサポートするテレビジョン装置である表示装置２０２がサポートしていない圧縮方式または映像方式であり、表示装置２０２が表示可能な方式に変換する場合には、当該映像コンテンツ情報に対してトランスコードを行う。
【００９１】
より詳細には、宅内ネットワーク側処理部２は、映像コンテンツ情報をトランスコードすることにより、映像コンテンツ情報の解像度、フレームレートおよび圧縮方式のうちの少なくともいずれか１つを変換し、変換した映像コンテンツ情報を表示装置２０２に与える。
【００９２】
具体的には、宅内ネットワーク側処理部２は、たとえば、ＭＰＥＧ（Ｍｏｖｉｎｇ  Ｐｉｃｔｕｒｅ  Ｅｘｐｅｒｔｓ  Ｇｒｏｕｐ）２およびＨ．２６４間の圧縮方式の変換処理を行う。また、宅内ネットワーク側処理部２は、たとえば、４Ｋおよび２Ｋ間の解像度の変換処理を行う。また、宅内ネットワーク側処理部２は、たとえば、異なるフレームレートへの変換処理を行う。（ステップＳ１９）。
【００９３】
次に、宅内ネットワーク側処理部２は、トランスコード後の映像コンテンツ情報の再暗号化を行う。
【００９４】
より詳細には、宅内ネットワーク側処理部２は、蓄積した映像コンテンツ情報を、表示装置２０２が復号化可能な方式に従い暗号化し、暗号化した映像コンテンツ情報を、当該表示装置２０２に対応するプロトコルたとえばアクトビラの規格に従って当該表示装置２０２に与える。
【００９５】
ここで、宅内ネットワーク側処理部２は、たとえば、制御メタファイルに記載された鍵等の暗号化情報を用いて暗号化を行う（ステップＳ２０）。
【００９６】
次に、宅内ネットワーク側処理部２は、再暗号化された映像コンテンツ情報を含むパケットのフォーマット変換を行う。
【００９７】
より詳細には、宅内ネットワーク側処理部２は、サーバ２５１から受信したパケットのフォーマットを変換したパケットを表示装置２０２へ送信する。具体的には、宅内ネットワーク側処理部２は、たとえば、ＴＳパケットおよびＴＴＳパケット間のフォーマットの変換処理を行う（ステップＳ２１）。
【００９８】
なお、宅内ネットワーク側処理部２は、サーバ２５１の映像サービスの一部または全部がアクトビラ等の表示装置２０２の方式と合う場合、トランスコードおよびパケットのフォーマット変換の一方または両方を行わない構成であってもよい。
【００９９】
次に、宅内ネットワーク側処理部２は、映像コンテンツを配信する、すなわち、トランスコードおよび再暗号化後の映像コンテンツ情報を含む、フォーマット変換後のパケットを表示装置２０２へ順次送信する。表示装置２０２は、宅内ネットワーク側処理部２から送信されるパケットを受信し、ストリームを構成する各パケットに含まれる映像コンテンツ情報を復号化し、映像コンテンツを再生する。ここで、表示装置２０２は、たとえば、制御メタファイルおよびＤＲＭライセンス情報の少なくともいずれか一方の内容を用いて復号化および再生処理を行う（ステップＳ２２）。
【０１００】
次に、表示装置２０２は、ユーザの操作に従い、映像コンテンツの再生、停止および早送り等を示す制御情報を映像サービスプロキシ装置１０１へ送信する。この制御情報は、たとえばＲＴＳＰ（Ｒｅａｌ  Ｔｉｍｅ  Ｓｔｒｅａｍｉｎｇ  Ｐｒｏｔｏｃｏｌ）またはＨＴＴＰ（ＨｙｐｅｒＴｅｘｔ  Ｔｒａｎｓｆｅｒ  Ｐｒｏｔｏｃｏｌ）に従う（ステップＳ２３）。
【０１０１】
次に、ＷＡＮ側処理部１は、表示装置２０２から受信した制御情報を対応のサーバ２５１へ送信する。サーバ２５１は、映像サービスプロキシ装置１０１から受信した制御情報に従って映像コンテンツの配信内容を変更する。ここで、ＷＡＮ側処理部１は、サーバ２５１がＲＴＳＰもしくはＨＴＴＰに対応していない場合、またはパラメータ等がたとえばトランスコードにより変換された場合等、必要に応じて、サーバ２５１において処理可能となるように制御情報を変換し（ステップＳ２４）、サーバ２５１へ送信してもよい（ステップＳ２５）。
【０１０２】
次に、表示装置２０２は、ユーザの操作に従い、選択中の映像サービスの解除通知を映像サービスプロキシ装置１０１へ送信する。この解除通知は、たとえばＲＴＳＰまたはＨＴＴＰに従う（ステップＳ２６）。
【０１０３】
次に、ＷＡＮ側処理部１は、表示装置２０２から受信した解除通知を対応のサーバ２５１へ送信する。サーバ２５１は、映像サービスプロキシ装置１０１から受信した解除通知に従って映像コンテンツの配信等の映像サービスの表示装置２０２への提供を停止する。ここで、ＷＡＮ側処理部１は、サーバ２５１がＲＴＳＰまたはＨＴＴＰに対応していない場合等、必要に応じて、サーバ２５１において処理可能となるように解除通知を変換し（ステップＳ２７）、サーバ２５１へ送信してもよい（ステップＳ２８）。
【０１０４】
次に、宅内ネットワーク側処理部２は、サービス選択画面９１の情報を再び表示装置２０２へ送信する（ステップＳ２９）。
【０１０５】
以上のような動作において、映像サービスプロキシ装置１０１は、表示装置２０２からはＷＡＮ４０２側のたとえばアクトビラの映像サービスを提供するサーバに見えることになる。
【０１０６】
より詳細には、映像サービスプロキシ装置１０１は、ＷＡＮ４０２側の各種映像サービスの提供サーバに対しては端末として擬似的に動作し、提供サーバから映像コンテンツを取得する。そして、映像サービスプロキシ装置１０１は、表示装置２０２に対してはたとえばアクトビラのサーバとして擬似的に動作し、取得した映像コンテンツおよび視聴に必要な制御メタ情報を表示装置２０２に与える。
【０１０７】
すなわち、映像サービスプロキシ装置１０１は、たとえばアクトビラの、ポータルサーバ、ＤＲＭサーバ、再生制御情報サーバ、および映像コンテンツサーバ等の代理として機能する。
【０１０８】
また、たとえば、映像サービスプロキシ装置１０１は、図４に示すシーケンスの前段階において、まず、ＷＡＮ４０２側のサービスに対応するアカウント情報を入力するための画面を表示し、そして、入力されたアカウント情報を保存する。
【０１０９】
より詳細には、たとえば、宅内ネットワーク側処理部２は、ＷＡＮ４０２側のサービスに対応するアカウント情報を入力するための画面を表示する処理を行い、入力されたアカウント情報を保存する処理を行う。
【０１１０】
図６は、本発明の実施の形態に係る映像コンテンツ配信システムにおける情報設定の一例を示す図である。
【０１１１】
図６を参照して、映像コンテンツ配信システム３０１は、さらに、スイッチングハブ１５２を備える。スイッチングハブ１５２は、宅内ネットワーク４０１の一部を構成する。
【０１１２】
端末装置２０２がたとえばタブレット、スマートホンまたはＰＣである場合、端末装置２０２は、ユーザの操作に従い、たとえば、Ｗｅｂブラウザを用いて、映像サービスプロキシ装置１０１のＩＰアドレスを指定してスイッチングハブ１５２経由で映像サービスプロキシ装置１０１にログインし、情報設定画面９３を表示する。
【０１１３】
情報設定画面９３は、たとえば、映像サービスごとの、ＩＤおよびパスワード等のアカウント情報を入力するための画面である。
【０１１４】
また、端末装置２０２が表示装置２０２である場合、表示装置２０２は、たとえば前述のサービス選択画面９１に設定ボタンが加わったサービス選択画面９２を表示する。表示装置２０２は、サービス選択画面９２においてユーザにより設定ボタンが押下されると、上記と同様に映像サービスプロキシ装置１０１にログインし、情報設定画面９３を表示する。
【０１１５】
情報設定画面９３は、サービス選択画面９１と同様に、宅内ネットワーク側処理部２によって作成され、端末装置２０２へ送信される。
【０１１６】
宅内ネットワーク側処理部２は、情報設定画面９３において入力されたアカウント情報を宅内ネットワーク４０１経由で端末装置２０２から取得し、取得したアカウント情報を記憶部３に保存する。
【０１１７】
なお、端末装置２０２が情報設定画面９３を表示する構成に限らず、映像サービスプロキシ装置１０１が、表示部を備え、当該表示部に情報設定画面９３を表示する構成であってもよい。
【０１１８】
［変形例］
宅内ネットワーク側処理部２は、宅内ネットワーク４０１またはＷＡＮ４０２から取得した情報に基づく内容を端末装置２０２に表示する処理を行い、端末装置２０２ごとに、表示内容または表示の有無を変更可能な構成であってもよい。
【０１１９】
図７は、本発明の実施の形態に係る映像コンテンツ配信システムの変形例１による録画コンテンツ共有の一例を示す図である。
【０１２０】
図７を参照して、映像サービスプロキシ装置１０１は、各端末装置２０２から録画要求を受けた映像コンテンツ情報を記憶装置１５１に保存する。より詳細には、ＷＡＮ側処理部１は、録画処理において、サーバ２５１から配信された映像コンテンツ情報を復号化し、復号化した映像コンテンツ情報を所定の方式に従って暗号化し、記憶装置１５１に保存する。
【０１２１】
図４に示すシーケンスにおいて、端末装置２０２が映像コンテンツの録画要求を映像サービスプロキシ装置１０１へ送信することにより、たとえばステップＳ１６〜Ｓ２１と同様の処理が行われ、処理後の映像コンテンツ情報が記憶装置１５１に保存される。
【０１２２】
これにより、複数の端末装置２０２のユーザがＨＤＤ（Ｈａｒｄ  Ｄｉｓｋ  Ｄｒｉｖｅ）等の記憶装置１５１を共有して映像コンテンツを録画することができる。
【０１２３】
たとえば、宅内ネットワーク側処理部２は、端末装置２０２ごとに映像コンテンツ情報の視聴に関する制限内容を変更可能である。
【０１２４】
より詳細には、たとえば、宅内ネットワーク側処理部２は、端末装置２０２から録画要求を受けた映像コンテンツ情報に当該端末装置２０２に関する端末情報を付加して記憶装置１５１に保存する。
【０１２５】
端末情報は、たとえば、端末装置２０２から映像サービスプロキシ装置１０１へ与えられるログイン情報および録画要求等に含まれる、ユーザの名前、年齢、ならびに居間および子供部屋等の端末装置２０２の設置場所である。
【０１２６】
そして、宅内ネットワーク側処理部２は、端末装置２０２からの録画リスト要求を受けて、当該端末装置２０２に与える録画リストの内容を、当該端末装置２０２の端末情報に基づいて制限する。
【０１２７】
ここで、宅内ネットワーク側処理部２は、宅内ネットワーク４０１側の端末装置２０２からの録画リスト要求を受けて、ＨＴＭＬ文書等の録画リストを、当該端末装置２０２において表示可能となるように変換して当該端末装置２０２に与える。
【０１２８】
そして、宅内ネットワーク側処理部２は、端末装置２０２から、録画リストにおける映像コンテンツの再生要求を受けて、記憶装置１５１に蓄積している対応の映像コンテンツ情報を当該端末装置２０２に与える。
【０１２９】
録画リストＬＴ１は、たとえば記憶部３に保存される。映像サービスプロキシ装置１０１におけるＷＡＮ側処理部１は、録画処理において、録画対象の映像コンテンツの情報を録画リストＬＴ１に登録して更新する。
【０１３０】
録画リストＬＴ１には、Ｎｏ．１〜Ｎｏ．６の６つの録画コンテンツのタイトル、録画日時および許可ユーザが登録されている。
【０１３１】
宅内ネットワーク側処理部２は、父が使用中の表示装置２０２からの録画リストの要求を受けた場合、許可ユーザが全員または父であるＮｏ．１，３，５の映像コンテンツの情報を録画リストＬＴ１から抽出した録画リストＬＴ２を作成し、当該表示装置２０２へ送信する。
【０１３２】
また、宅内ネットワーク側処理部２は、娘が使用中の表示装置２０２からの録画リストの要求を受けた場合、許可ユーザが全員または娘であるＮｏ．２，４，５の映像コンテンツの情報を録画リストＬＴ１から抽出した録画リストＬＴ３を作成し、当該表示装置２０２へ送信する。
【０１３３】
宅内ネットワーク側処理部２は、たとえばＨＴＭＬ文書の形式で録画リストを表示装置２０２へ送信する。
【０１３４】
再生情報テーブルＴｂ１１は、たとえば記憶部３に保存される。映像サービスプロキシ装置１０１における宅内ネットワーク側処理部２は、映像コンテンツの配信処理において、映像コンテンツの再生に関する情報を再生情報テーブルＴｂ１１に登録して更新する。
【０１３５】
再生情報テーブルＴｂ１１には、端末装置２０２ごとの、映像コンテンツ情報の再生に関する情報が登録されている。具体的には、再生情報テーブルＴｂ１１には、複数のユーザが視聴できる映像コンテンツの場合、視聴を中断した場合に中断したところから再生するレジューム機能のための視聴ポジション等の情報をユーザごとに登録可能である。複数のユーザの視聴完了位置を記憶させることにより、同じ映像コンテンツであってもユーザごとのレジューム機能が可能になる。
【０１３６】
宅内ネットワーク側処理部２は、娘が視聴中の表示装置２０２から映像コンテンツの再生要求を受けた場合、再生情報テーブルＴｂ１１を参照して、当該映像コンテンツは未視聴であることから、当該映像コンテンツの最初の部分から当該表示装置２０２に配信する。
【０１３７】
また、宅内ネットワーク側処理部２は、息子が視聴中の表示装置２０２から映像コンテンツの再生要求を受けた場合、再生情報テーブルＴｂ１１を参照して、当該映像コンテンツは００：２０：２０まで視聴済みであることから、当該映像コンテンツの当該タイミングの部分からを当該表示装置２０２に配信する。
【０１３８】
図８は、本発明の実施の形態に係る映像コンテンツ配信システムの変形例２による呼び出し処理の一例を示す図である。
【０１３９】
宅内ネットワーク側処理部２は、宅内ネットワーク４０１側の電話機の通話に関する情報、およびおインターホンの動作に関する情報を、宅内ネットワーク４０１側の端末装置２０２に表示する処理を行う。
【０１４０】
具体的には、図８を参照して、宅内ネットワーク側処理部２は、ＷＡＮ４０２に含まれるＩＰ電話網を介して着信情報を受信した場合、たとえば使用中の表示装置２０２に着信情報を送信する。
【０１４１】
表示装置２０２は、着信情報を受信して、電話の着信を認識可能な情報を画面に表示する。
【０１４２】
図９は、本発明の実施の形態に係る映像コンテンツ配信システムの変形例２における転送情報テーブルの一例を示す図である。
【０１４３】
図９を参照して、転送情報テーブルＴｂ１は、たとえば記憶部３に保存される。転送情報テーブルＴｂ１は、通知電話番号と転送相手との対応関係を示す情報である。
【０１４４】
宅内ネットワーク側処理部２は、ＷＡＮ４０２に含まれるＩＰ電話網経由で電話番号通知Ａ１を着信情報として受信した場合、転送情報テーブルＴｂ１を参照して、電話番号通知Ａ１の示す電話番号に対応するユーザの端末装置２０２、ここでは父が使用中の表示装置２０２に電話番号通知Ａ１を転送する。宅内ネットワーク側処理部２は、たとえば前述の端末情報を用いて、父が使用中の表示装置２０２を特定することができる。
【０１４５】
表示装置２０２は、電話番号通知Ａ１を受けて、電話番号の着信を認識可能な情報を画面に表示する。
【０１４６】
また、宅内ネットワーク側処理部２は、宅内ネットワーク４０１を介してドアホンから呼び出し通知Ａ２を受信した場合、インターホン機能を有する端末装置２０２、ここでは娘および息子がそれぞれ使用中の端末装置２０２および表示装置２０２に呼び出し通知Ａ２を転送する。
【０１４７】
各端末装置２０２は、呼び出し通知Ａ２を受けて、ドアホンからの呼び出しを認識可能な情報を画面に表示する。
【０１４８】
図１０は、本発明の実施の形態に係る映像コンテンツ配信システムの変形例３によるセキュリティ処理の一例を示す図である。図１１は、本発明の実施の形態に係る映像コンテンツ配信システムの変形例３におけるセンサ情報テーブルの一例を示す図である。
【０１４９】
宅内ネットワーク側処理部２は、宅内ネットワーク４０１側の、監視カメラの監視結果に関する情報、およびセンサの計測結果に関する情報を、宅内ネットワーク４０１側またはＷＡＮ４０２側の端末装置２０２に表示する処理を行う。
【０１５０】
具体的には、図１０および図１１を参照して、センサ情報テーブルＴｂ２１は、たとえば記憶部３に保存される。センサ情報テーブルＴｂ２１は、登録機器およびその状態と侵入検知動作の有無と警報または処置との対応関係を示す情報である。
【０１５１】
登録機器は、たとえば、住居に設けられた、監視カメラ、ドアおよび窓等の侵入検知センサ、ならびに火災センサおよびガス漏れセンサであり、無線通信または有線通信を行うことが可能である。
【０１５２】
宅内ネットワーク側処理部２は、宅内ネットワーク４０１を介して各登録機器から画像および検知結果等のセンサ情報を受信し、受信した画像を記憶部３に保存し、また、受信した検知結果に基づいてセンサ情報テーブルＴｂ２１を作成または更新する。
【０１５３】
宅内ネットワーク側処理部２は、画像およびセンサ情報テーブルＴｂ２１を、ユーザが宅内または宅外において使用中の端末装置２０２へ宅内ネットワーク４０１またはＷＡＮ４０２経由で送信する。宅内ネットワーク側処理部２は、画像およびセンサ情報テーブルＴｂ２１の送信処理を自律的に行ってもよいし、端末装置２０２を介したユーザからの要求に応じて行ってもよい。
【０１５４】
端末装置２０２は、映像サービスプロキシ装置１０１から受信した画像およびセンサ情報テーブルＴｂ２１を画面に表示する。
【０１５５】
図１２は、本発明の実施の形態に係る映像コンテンツ配信システムの変形例４による広告サービスの提供の一例を示す図である。
【０１５６】
宅内ネットワーク側処理部２は、ＷＡＮ４０２側から配信される広告情報を、宅内ネットワーク４０１側の端末装置２０２に表示する処理を行う。
【０１５７】
具体的には、図１２を参照して、宅内ネットワーク側処理部２は、ＷＡＮ４０２を介して広告会社および新聞会社等からの広告情報を受信した場合、受信した広告情報を１または複数の端末装置２０２に転送する。端末装置２０２は、受信した広告情報の内容を画面に表示する。
【０１５８】
宅内ネットワーク側処理部２は、受信した広告情報に年齢および性別等の商品の対象条件が含まれている場合、対象条件に合致する端末装置２０２へ広告情報を選択的に転送する。
【０１５９】
ここでは、対象条件が、年齢が１５歳から３０歳までであり、性別が女性であることから、娘が使用中の表示装置２０２に動画広告が配信される。また、端末装置２０２であるフォトフレームおよび電子新聞に広告が配信される。宅内ネットワーク側処理部２は、たとえば事前に映像サービスプロキシ装置１０１に登録された情報および前述の端末情報を用いて、娘が使用中の表示装置２０２、ならびにフォトフレームおよび電子新聞を特定することができる。
【０１６０】
なお、変形例２〜４において、宅内ネットワーク側処理部２は、受信した情報をそのまま端末装置２０２に送信する構成に限らず、当該端末装置２０２において処理可能となるように何らかの変換処理を行って送信する構成であってもよい。
【０１６１】
ところで、たとえば映像装置として最も普及しているテレビ受信機によって各種サービスのコンテンツを視聴するためには、外付け装置としてセットトップボックスを設置する必要がある。そして、複数の部屋に設置されたテレビ受信機によって各種サービスのコンテンツを視聴するためには、セットトップボックスを複数設置する必要があり、各部屋で同時に視聴を行わないような状況でも複数の契約が必要になることがある。
【０１６２】
また、インターネット接続機能を有するテレビ受信機であっても、当該機能を介してテレビ受信機で利用できるサービスには限りがある場合が多い。具体的には、現状では、アクトビラの仕様に対応する映像サービスのみの視聴が可能なテレビ受信機が一般的である。
【０１６３】
これに対して、本発明の実施の形態に係る映像サービスプロキシ装置では、ＷＡＮ側処理部１は、ＷＡＮ４０２側のサーバ２５１から映像コンテンツ情報を取得する。そして、宅内ネットワーク側処理部２は、サーバ２５１の代理として動作することにより、ＷＡＮ側処理部１によって取得された映像コンテンツ情報を、宅内ネットワーク４０１側の表示装置２０２において再生可能となるように当該表示装置２０２に与える代理処理を行う。
【０１６４】
このように、表示装置２０２に対して当該表示装置２０２が単独ではサービスの提供を受けることができないサーバの代理として動作し、かつ実際の映像サービスを提供する当該サーバにアクセスして映像コンテンツを取得する構成により、たとえば表示装置２０２側にセットトップボックスを設置する必要がなく、表示装置２０２において利用できるサービスを超えた各種サービスを表示装置２０２に提供することができ、ユーザ側だけでなく映像サービス側における利便性を向上させることができる。また、１つの映像サービスプロキシ装置１０１を用いた宅内ネットワーク４０１経由の配信により、たとえば複数の部屋にそれぞれ設置された複数の表示装置２０２において各種サービスのコンテンツを視聴することができる。
【０１６５】
したがって、本発明の実施の形態に係る映像サービスプロキシ装置では、サーバに保存された映像コンテンツをネットワーク経由で端末装置に配信するシステムにおいて、ユーザの利便性を向上させることができる。具体的には、たとえば、表示装置２０２側に映像コンテンツ記録装置が不要であり、映像サービスプロキシ装置１０１側に映像コンテンツ記録装置を１台設置することで、複数の表示装置２０２において映像コンテンツを視聴することができるため、ユーザの利便性を向上させることができる。
【０１６６】
また、本発明の実施の形態に係る映像サービスプロキシ装置では、宅内ネットワーク側処理部２は、ＷＡＮ４０２側のサービスに対応するアカウント情報を入力するための画面を表示する処理を行い、入力されたアカウント情報を保存する処理を行う。
【０１６７】
このような構成により、簡易な操作で、映像サービスプロキシ装置１０１において各種サービスのアカウント情報を管理することができるため、ユーザの利便性をより向上させることができる。
【０１６８】
また、本発明の実施の形態に係る映像サービスプロキシ装置では、宅内ネットワーク側処理部２は、宅内ネットワーク４０１側の端末装置２０２が、代理処理を行うべき表示装置２０２であるか否かを判断し、代理処理を行うべき表示装置２０２でないと判断した場合、代理処理を行う代わりに、ＷＡＮ４０２および当該端末装置２０２間で送受信されるパケットを中継する処理を行う。
【０１６９】
このような構成により、代理処理が必要なテレビ受信機等の端末装置と代理処理が不要なＰＣ等の端末装置とが共存する宅内ネットワーク４０１において、適切な装置に代理処理を選択的に実行し、良好なサービス環境を実現することができる。
【０１７０】
また、本発明の実施の形態に係る映像サービスプロキシ装置では、ＷＡＮ側処理部１は、端末装置２０２が、代理処理を行うべき表示装置２０２であると判断された場合、ＷＡＮ４０２側のサービスについて設定されたアカウント情報を用いて、当該サービスに対応するプロトコルに従ってサーバ２５１から映像コンテンツ情報を取得する。
【０１７１】
このような構成により、代理処理が必要な端末装置の要求する映像コンテンツ情報を取得することができる。
【０１７２】
また、本発明の実施の形態に係る映像サービスプロキシ装置では、ＷＡＮ側処理部１は、表示装置２０２において選択された映像コンテンツをサーバ２５１に通知し、当該サーバ２５１から配信された映像コンテンツ情報を復号化して蓄積する。
【０１７３】
このような構成により、表示装置２０２に提供可能な状態の映像コンテンツ情報を準備することができる。
【０１７４】
また、本発明の実施の形態に係る映像サービスプロキシ装置では、宅内ネットワーク側処理部２は、表示装置２０２からの要求を受けて、ＷＡＮ４０２側のサービスを選択するための画面の情報を当該表示装置２０２に与える。
【０１７５】
このような構成により、ユーザにおいて各種サービスの確認および選択が容易となり、ユーザの利便性をより向上させることができる。
【０１７６】
また、本発明の実施の形態に係る映像サービスプロキシ装置では、宅内ネットワーク側処理部２は、表示装置２０２から所定のサービスの要求を受けた場合、代理処理を行う代わりに、ＷＡＮ４０２および当該表示装置２０２間で送受信されるパケットを中継する処理を行う。
【０１７７】
このような構成により、代理処理が必要なテレビ受信機等の端末装置２０２において、単独で利用可能なサービスにおける映像コンテンツを視聴する場合において、当該サービスに通常の中継処理を適用し、良好なサービス環境を実現することができる。
【０１７８】
また、本発明の実施の形態に係る映像サービスプロキシ装置では、宅内ネットワーク側処理部２は、代理処理において、表示装置２０２が映像コンテンツ情報の再生処理を行う際に用いる制御メタ情報を作成し、当該表示装置２０２に与える。
【０１７９】
このような構成により、表示装置２０２において選択されたサービスに応じた制御メタ情報を作成し、表示装置２０２において各種サービスにおける映像コンテンツの再生処理を容易に実現可能とすることができる。
【０１８０】
また、本発明の実施の形態に係る映像サービスプロキシ装置では、宅内ネットワーク側処理部２は、代理処理において、サーバ２５１から受信した、ＷＡＮ４０２側のサービスにおける映像コンテンツを選択するための画面の情報を、表示装置２０２において表示可能となるように変換して当該表示装置２０２に与える。
【０１８１】
このような構成により、各種サービスにおけるコンテンツ選択画面のデータ形式等の相違を吸収し、表示装置２０２において各種サービスにおけるコンテンツ選択画面を容易に表示可能とすることができる。
【０１８２】
また、本発明の実施の形態に係る映像サービスプロキシ装置では、宅内ネットワーク側処理部２は、蓄積した映像コンテンツ情報を、表示装置２０２が復号化可能な方式に従い暗号化し、暗号化した映像コンテンツ情報を、当該表示装置２０２に対応するプロトコルに従って当該表示装置２０２に与える。
【０１８３】
このような構成により、映像サービスプロキシ装置１０１および表示装置２０２間のセキュリティを確保しながら、各種サービスに対応する復号化が行われた映像コンテンツ情報の、表示装置２０２における再生処理を可能とすることができる。
【０１８４】
また、本発明の実施の形態に係る映像サービスプロキシ装置では、映像コンテンツ情報は、当該映像コンテンツ情報を複数のパケットに分割したストリームにより配信される。宅内ネットワーク側処理部２は、サーバ２５１から受信したパケットのフォーマットを変換したパケットを表示装置２０２へ送信する。
【０１８５】
このような構成により、各種サービスにおけるパケットの形式の相違を吸収し、表示装置２０２において各種サービスにおける映像コンテンツの再生処理を容易に実現可能とすることができる。
【０１８６】
また、本発明の実施の形態に係る映像サービスプロキシ装置では、映像コンテンツ情報は、当該映像コンテンツ情報を複数のパケットに分割したストリームにより配信される。宅内ネットワーク側処理部２は、映像コンテンツ情報をトランスコードすることにより、映像コンテンツ情報の解像度、フレームレートおよび圧縮方式のうちの少なくともいずれか１つを変換し、変換した映像コンテンツ情報を表示装置２０２に与える。
【０１８７】
このような構成により、各種サービスにおける解像度、フレームレート、および圧縮方式の相違を吸収し、表示装置２０２において各種サービスにおける映像コンテンツの再生処理を容易に実現可能とすることができる。
【０１８８】
また、本発明の実施の形態に係る映像サービスプロキシ装置では、宅内ネットワーク４０１において複数の端末装置２０２が接続される。宅内ネットワーク側処理部２は、宅内ネットワーク４０１またはＷＡＮ４０２から取得した情報に基づく内容を端末装置２０２に表示する処理を行い、端末装置２０２ごとに、表示内容または表示の有無を変更可能である。
【０１８９】
このような構成により、宅内ネットワーク４０１側に複数の端末装置２０２が設置されている環境において、端末装置２０２の使用者および使用環境等に応じた内容の情報を提供することができる。
【０１９０】
また、本発明の実施の形態に係る映像サービスプロキシ装置では、宅内ネットワーク側処理部２は、端末装置２０２ごとに映像コンテンツ情報の視聴に関する制限内容を変更可能である。
【０１９１】
このような構成により、宅内ネットワーク４０１側に複数の端末装置２０２が設置されている環境において、端末装置２０２の使用者および使用環境等に応じたコンテンツ制限を実行することができる。
【０１９２】
また、本発明の実施の形態に係る映像サービスプロキシ装置では、宅内ネットワーク側処理部２は、端末装置２０２から録画要求を受けた映像コンテンツ情報に当該端末装置２０２に関する端末情報を付加して記憶装置１５１に保存する。
【０１９３】
このような構成により、宅内ネットワーク４０１側に複数の端末装置２０２が設置されている環境において、端末装置２０２の使用者および使用環境等の情報とともに映像コンテンツ情報を記録し、端末装置２０２の別に応じたコンテンツ制限を容易に実行することができる。
【０１９４】
また、本発明の実施の形態に係る映像サービスプロキシ装置では、宅内ネットワーク側処理部２は、宅内ネットワーク４０１側の端末装置２０２からの録画リスト要求を受けて、録画リストを、当該端末装置２０２において表示可能となるように変換して当該端末装置２０２に与える。
【０１９５】
このような構成により、端末装置２０２において表示可能な録画リストのデータ形式等に応じて変換した録画リストを端末装置２０２に与えることができる。
【０１９６】
また、本発明の実施の形態に係る映像サービスプロキシ装置では、宅内ネットワーク側処理部２は、端末装置２０２から、録画リストにおける映像コンテンツの再生要求を受けて、蓄積している対応の映像コンテンツ情報を当該端末装置２０２に与える。
【０１９７】
このような構成により、端末装置２０２において表示された録画リストにおいてユーザが選択した映像コンテンツを端末装置２０２に与えることができる。
【０１９８】
また、本発明の実施の形態に係る映像サービスプロキシ装置では、宅内ネットワーク側処理部２は、端末装置２０２からの録画リスト要求を受けて、当該端末装置２０２に与える録画リストの内容を、当該端末装置２０２の端末情報に基づいて制限する。
【０１９９】
このような構成により、宅内ネットワーク４０１側に複数の端末装置２０２が設置されている環境において、録画リストにリストアップされる録画コンテンツを、端末装置２０２の使用者および使用環境等に応じて制限することができる。
【０２００】
また、本発明の実施の形態に係る映像サービスプロキシ装置では、宅内ネットワーク側処理部２は、宅内ネットワーク４０１側の、電話機の通話に関する情報、監視カメラの監視結果に関する情報、センサの計測結果に関する情報、およびインターホンの動作に関する情報、ならびにＷＡＮ４０２側から配信される広告情報を、宅内ネットワーク４０１側またはＷＡＮ４０２側の端末装置２０２に表示する処理を行う。
【０２０１】
このような構成により、ユーザは、表示装置２０２において映像コンテンツを視聴しながら、たとえば宅内における各種状況を把握することができる。すなわち、実際にユーザが存在する可能性の高いところに各種状況または広告内容を通知することができる。あるいは、ユーザは、宅外において端末装置２０２を介して宅内における各種状況を把握することができる。
【０２０２】
また、本発明の実施の形態に係る映像サービスプロキシ方法では、まず、宅内ネットワーク４０１側の表示装置２０２を特定する。次に、特定した表示装置２０２に提供するＷＡＮ４０２側のサービスを特定する。次に、特定したサービスにおける映像コンテンツ情報をＷＡＮ４０２側のサーバ２５１から取得し、サーバ２５１の代理として動作することにより、取得した映像コンテンツ情報を表示装置２０２に与える処理を行う。
【０２０３】
このように、表示装置２０２に対して当該表示装置２０２が単独ではサービスの提供を受けることができないサーバの代理として動作し、かつ実際の映像サービスを提供する当該サーバにアクセスして映像コンテンツを取得する方法により、たとえば表示装置２０２側にセットトップボックスを設置する必要がなく、表示装置２０２において利用できるサービスを超えた各種サービスを表示装置２０２に提供することができ、ユーザ側だけでなく映像サービス側における利便性を向上させることができる。また、１つの映像サービスプロキシ装置１０１を用いた宅内ネットワーク４０１経由の配信により、たとえば複数の部屋にそれぞれ設置された複数の表示装置２０２において各種サービスのコンテンツを視聴することができる。
【０２０４】
したがって、本発明の実施の形態に係る映像サービスプロキシ方法では、サーバに保存された映像コンテンツをネットワーク経由で端末装置に配信するシステムにおいて、ユーザの利便性を向上させることができる。具体的には、たとえば、表示装置２０２側に映像コンテンツ記録装置が不要であり、映像サービスプロキシ装置１０１側に映像コンテンツ記録装置を１台設置することで、複数の表示装置２０２において映像コンテンツを視聴することができるため、ユーザの利便性を向上させることができる。
【０２０５】
また、本発明の実施の形態に係る映像サービスプロキシ方法では、さらに、ＷＡＮ４０２側のサービスに対応するアカウント情報を入力するための画面を表示し、そして、入力されたアカウント情報を保存する。
【０２０６】
このような方法により、簡易な操作で、映像サービスプロキシ装置１０１において各種サービスのアカウント情報を管理することができるため、ユーザの利便性をより向上させることができる。
【０２０７】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２０８】
以上の説明は、以下に付記する特徴を含む。
［付記１］
宅内ネットワークとＷＡＮとの間に接続される映像サービスプロキシ装置であって、
前記ＷＡＮ側のサーバから映像コンテンツ情報を取得するＷＡＮ側処理部と、
前記サーバの代理として動作することにより、前記ＷＡＮ側処理部によって取得された前記映像コンテンツ情報を、前記宅内ネットワーク側の表示装置において再生可能となるように前記表示装置に与える代理処理を行う宅内ネットワーク側処理部とを備え、
前記代理処理は、前記サーバのプロトコルおよび前記表示装置のプロトコル間の変換処理、ならびに前記サーバにおいて処理可能な映像コンテンツ情報に関するフォーマットおよび前記表示装置において処理可能な映像コンテンツ情報に関するフォーマット間の変換処理の少なくともいずれか一方を含み、
前記表示装置は、アクトビラに対応するテレビジョン装置であり、
前記宅内ネットワークを介して複数の前記表示装置と通信可能である、映像サービスプロキシ装置。
【０２０９】
［付記２］
前記宅内ネットワーク側処理部は、前記ＷＡＮ側のサービスに対応するアカウント情報を入力するための画面を表示する処理を行い、入力された前記アカウント情報を保存する処理を行う、付記１に記載の映像サービスプロキシ装置。
【０２１０】
［付記３］
前記宅内ネットワーク側処理部は、前記宅内ネットワーク側の端末装置が、前記代理処理を行うべき前記表示装置であるか否かを判断し、前記代理処理を行うべき前記表示装置でないと判断した場合、前記代理処理を行う代わりに、前記ＷＡＮおよび前記端末装置間で送受信されるパケットを中継する処理を行う、付記１または付記２に記載の映像サービスプロキシ装置。
【０２１１】
［付記４］
前記ＷＡＮ側処理部は、前記端末装置が、前記代理処理を行うべき前記表示装置であると判断された場合、前記ＷＡＮ側のサービスについて設定されたアカウント情報を用いて、前記サービスに対応するプロトコルに従って前記サーバから前記映像コンテンツ情報を取得する、付記３に記載の映像サービスプロキシ装置。
【０２１２】
［付記５］
前記ＷＡＮ側処理部は、前記表示装置において選択された映像コンテンツを前記サーバに通知し、前記サーバから配信された前記映像コンテンツ情報を復号化して蓄積する、付記４に記載の映像サービスプロキシ装置。
【０２１３】
［付記６］
前記宅内ネットワーク側処理部は、前記表示装置からの要求を受けて、前記ＷＡＮ側のサービスを選択するための画面の情報を前記表示装置に与える、付記１から付記５のいずれか１項に記載の映像サービスプロキシ装置。
【０２１４】
［付記７］
前記宅内ネットワーク側処理部は、前記表示装置から所定のサービスの要求を受けた場合、前記代理処理を行う代わりに、前記ＷＡＮおよび前記表示装置間で送受信されるパケットを中継する処理を行う、付記１から付記６のいずれか１項に記載の映像サービスプロキシ装置。
【０２１５】
［付記８］
前記宅内ネットワーク側処理部は、前記代理処理において、前記表示装置が前記映像コンテンツ情報の再生処理を行う際に用いる制御メタ情報を作成し、前記表示装置に与える、付記１から付記７のいずれか１項に記載の映像サービスプロキシ装置。
【０２１６】
［付記９］
前記宅内ネットワーク側処理部は、前記代理処理において、前記サーバから受信した、前記ＷＡＮ側のサービスにおける映像コンテンツを選択するための画面の情報を、前記表示装置において表示可能となるように変換して前記表示装置に与える、付記１から付記８のいずれか１項に記載の映像サービスプロキシ装置。
【０２１７】
［付記１０］
前記宅内ネットワーク側処理部は、蓄積した前記映像コンテンツ情報を、前記表示装置が復号化可能な方式に従い暗号化し、暗号化した前記映像コンテンツ情報を、前記表示装置に対応するプロトコルに従って前記表示装置に与える、付記５に記載の映像サービスプロキシ装置。
【０２１８】
［付記１１］
前記映像コンテンツ情報は、前記映像コンテンツ情報を複数のパケットに分割したストリームにより配信され、
前記宅内ネットワーク側処理部は、前記サーバから受信した前記パケットのフォーマットを変換したパケットを前記表示装置へ送信する、付記１から付記１０のいずれか１項に記載の映像サービスプロキシ装置。
【０２１９】
［付記１２］
前記映像コンテンツ情報は、前記映像コンテンツ情報を複数のパケットに分割したストリームにより配信され、
前記宅内ネットワーク側処理部は、前記映像コンテンツ情報をトランスコードすることにより、前記映像コンテンツ情報の解像度、フレームレートおよび圧縮方式のうちの少なくともいずれか１つを変換し、変換した前記映像コンテンツ情報を前記表示装置に与える、付記１から付記１１のいずれか１項に記載の映像サービスプロキシ装置。
【０２２０】
［付記１３］
前記宅内ネットワークにおいて複数の端末装置が接続され、
前記宅内ネットワーク側処理部は、前記宅内ネットワークまたは前記ＷＡＮから取得した情報に基づく内容を前記端末装置に表示する処理を行い、前記端末装置ごとに、表示内容または表示の有無を変更可能である、付記１から付記１２のいずれか１項に記載の映像サービスプロキシ装置。
【０２２１】
［付記１４］
前記宅内ネットワーク側処理部は、前記端末装置ごとに前記映像コンテンツ情報の視聴に関する制限内容を変更可能である、付記１３に記載の映像サービスプロキシ装置。
【０２２２】
［付記１５］
前記宅内ネットワーク側処理部は、前記端末装置から録画要求を受けた前記映像コンテンツ情報に前記端末装置に関する端末情報を付加して記憶装置に保存する、付記１４に記載の映像サービスプロキシ装置。
【０２２３】
［付記１６］
前記宅内ネットワーク側処理部は、前記宅内ネットワーク側の端末装置からの録画リスト要求を受けて、録画リストを、前記端末装置において表示可能となるように変換して前記端末装置に与える、付記１から付記１５のいずれか１項に記載の映像サービスプロキシ装置。
【０２２４】
［付記１７］
前記宅内ネットワーク側処理部は、前記端末装置から、前記録画リストにおける映像コンテンツの再生要求を受けて、蓄積している対応の前記映像コンテンツ情報を前記端末装置に与える、付記１６に記載の映像サービスプロキシ装置。
【０２２５】
［付記１８］
前記宅内ネットワーク側処理部は、前記端末装置からの録画リスト要求を受けて、前記端末装置に与える録画リストの内容を、前記端末情報に基づいて制限する、付記１５に記載の映像サービスプロキシ装置。
【０２２６】
［付記１９］
前記宅内ネットワーク側処理部は、前記宅内ネットワーク側の、電話機の通話に関する情報、監視カメラの監視結果に関する情報、センサの計測結果に関する情報、およびインターホンの動作に関する情報、ならびに前記ＷＡＮ側から配信される広告情報を、前記宅内ネットワーク側または前記ＷＡＮ側の端末装置に表示する処理を行う、付記１から付記１８のいずれか１項に記載の映像サービスプロキシ装置。
【符号の説明】
【０２２７】
１  ＷＡＮ側処理部
２  宅内ネットワーク側処理部
３  記憶部
１０１  映像サービスプロキシ装置
１５１  記憶装置
１５２  スイッチングハブ
２０２  端末装置、表示装置
２５１  サーバ
３０１  映像コンテンツ配信システム
４０１  宅内ネットワーク
４０２  ＷＡＮ
【図１】
2019004437.tif 000003
【図２】
2019004437.tif 000004
【図３】
2019004437.tif 000005
【図４】
2019004437.tif 000006
【図５】
2019004437.tif 000007
【図６】
2019004437.tif 000008
【図７】
2019004437.tif 000009
【図８】
2019004437.tif 000010
【図９】
2019004437.tif 000011
【図１０】
2019004437.tif 000012
【図１１】
2019004437.tif 000013
【図１２】
2019004437.tif 000014